(57)【特許請求の範囲】
【請求項１】
施錠状態と解錠状態とで変化する窓体間の隙間に応じて、前記窓体の施解錠状態を検知する施解錠検知手段を備え、
前記施解錠検知手段は、前記窓体から加えられる圧力を検出する圧力センサからなり、
前記圧力センサは、２枚の引き違いの前記窓体に取り付けられたクレセント錠の近傍に設けられており、施錠状態では前記クレセント錠により前記窓体間の隙間が狭められることで加えられる圧力を検出することを特徴とする窓用戸締センサ。
【請求項２】
施錠状態と解錠状態とで変化する窓体間の隙間に応じて、前記窓体の施解錠状態を検知する施解錠検知手段を備え、
前記施解錠検知手段は、２枚の引き違いの前記窓体の一方に取り付けられ、他方の前記窓体に対してエネルギー波を放射し、前記エネルギー波の反射波に基づいて前記窓体の位置を検出する近接センサからなり、
前記エネルギー波は音波であり、
前記近接センサの検出結果に基づいて前記窓体の施解錠状態を判別する制御手段を備え、
前記制御手段は、前記近接センサに戻ってくる反射波がゼロの場合には前記窓体が開放状態にあると判断することを特徴とする窓用戸締センサ。
【請求項３】
施錠状態と解錠状態とで変化する窓体間の隙間に応じて、前記窓体の施解錠状態を検知する施解錠検知手段を備え、
前記施解錠検知手段は、２枚の引き違いの前記窓体の一方に取り付けられ、他方の前記窓体に対してエネルギー波を放射し、前記エネルギー波の反射波に基づいて前記窓体の位置を検出する近接センサからなり、
前記エネルギー波は電波であり、
前記近接センサの検出結果に基づいて前記窓体の施解錠状態を判別する制御手段を備え、
前記制御手段は、前記近接センサに戻ってくる反射波がゼロの場合には前記窓体が開放状態にあると判断することを特徴とする窓用戸締センサ。
【請求項４】
前記圧力センサの検出結果に基づいて前記窓体の施解錠状態を判別する制御手段を備え、
前記制御手段は、前記圧力センサに加えられる圧力がゼロの場合には前記窓体が開放状態にあると判断することを特徴とする請求項１記載の窓用戸締センサ。
【発明の詳細な説明】
【技術分野】
【０００１】
本発明は、窓用戸締センサに関するものである。
【背景技術】
【０００２】
従来より、窓などの戸締まり状態を監視する戸締まり監視装置が提供されている（例えば特許文献１参照）。この戸締まり監視装置は、マグネット及びリードスイッチからなるセンサ部を備えており、マグネットは、２枚の引き違いの窓体の一方に設けられたクレセント錠のクレセント本体に取り付けられる。また、リードスイッチは、クレセント本体が設けられた上記一方の窓体の縦桟に取り付けられており、クレセント本体と縦桟の間の隙間にマグネットとリードスイッチが配置される。
【０００３】
この戸締まり監視装置では、他方の窓体に設けられたクレセント受けにクレセント本体を係止させて施錠状態にするとマグネットの磁力でリードスイッチがオンになり、上記の施錠状態が解除されるとマグネットの磁力が解除されてリードスイッチがオフになる。そして、リードスイッチのオン・オフ状態を検出することで、窓の施解錠状態を判別できるのである。
【０００４】
また、窓などの施解錠状態を確認するためのワイヤレス施錠確認システムも提供されている（例えば特許文献２参照）。このワイヤレス施錠確認システムは、左右スライド式の２枚窓の一方の窓枠に設けたクレセント錠の操作片に取り付けられたマグネットと、マグネットに対応する形で他方の窓の窓枠に取り付けられたワイヤレス送信器とで構成される。ワイヤレス送信器には、マグネットの磁力によって作動するリードスイッチを有するセンサ部が内蔵されている。
【０００５】
このワイヤレス施錠確認システムでは、クレセント錠を解錠した状態ではマグネットとリードスイッチとが離れた状態にあるため、リードスイッチはオフになり、クレセント錠を施錠した状態ではマグネットとリードスイッチとが近接した状態にあるため、リードスイッチはオンになる。そして、リードスイッチのオン・オフ状態を検出することで、窓の施解錠状態を判別できるのである。
【先行技術文献】
【特許文献】
【０００６】
【特許文献１】特開２００６−２８５８６３号公報（段落［００３９］、及び、第４図）
【特許文献２】特開平６−３０９５７２号公報（段落［０００９］−段落［００１０］、及び、第１図）
【発明の概要】
【発明が解決しようとする課題】
【０００７】
上述の特許文献１に示した戸締まり監視装置は、クレセント錠と窓体の縦桟の間の隙間にマグネット及びリードスイッチを配置したものであり、例えば上記隙間が狭い場合にはリードスイッチを収納した筐体とマグネットとが干渉する場合があった。
【０００８】
また、上述の特許文献２に示したワイヤレス施錠確認システムは、マグネットをクレセント錠に取り付けるタイプのものであり、近年のクレセント錠では操作片の形状が湾曲するものも提供されており、その形状からマグネットが取り付け難かったり、外れ易い場合があった。
【０００９】
本発明は上記問題点に鑑みて為されたものであり、その目的とするところは、施工性及び検出精度を向上させた窓用戸締センサを提供することにある。
【課題を解決するための手段】
【００１０】
本発明の窓用戸締センサは、施錠状態と解錠状態とで変化する窓体間の隙間に応じて、窓体の施解錠状態を検知する施解錠検知手段を備え、施解錠検知手段は、窓体から加えられる圧力を検出する圧力センサからなり、圧力センサは、２枚の引き違いの窓体に取り付けられたクレセント錠の近傍に設けられており、施錠状態ではクレセント錠により窓体間の隙間が狭められることで加えられる圧力を検出することを特徴とする。
また、本発明の窓用戸締センサは、施錠状態と解錠状態とで変化する窓体間の隙間に応じて、窓体の施解錠状態を検知する施解錠検知手段を備え、施解錠検知手段は、２枚の引き違いの窓体の一方に取り付けられ、他方の窓体に対してエネルギー波を放射し、エネルギー波の反射波に基づいて窓体の位置を検出する近接センサからなり、エネルギー波は音波であり、近接センサの検出結果に基づいて窓体の施解錠状態を判別する制御手段を備え、制御手段は、近接センサに戻ってくる反射波がゼロの場合には窓体が開放状態にあると判断することを特徴とする。
さらに、本発明の窓用戸締センサは、施錠状態と解錠状態とで変化する窓体間の隙間に応じて、窓体の施解錠状態を検知する施解錠検知手段を備え、施解錠検知手段は、２枚の引き違いの窓体の一方に取り付けられ、他方の窓体に対してエネルギー波を放射し、エネルギー波の反射波に基づいて窓体の位置を検出する近接センサからなり、エネルギー波は電波であり、近接センサの検出結果に基づいて窓体の施解錠状態を判別する制御手段を備え、制御手段は、近接センサに戻ってくる反射波がゼロの場合には窓体が開放状態にあると判断することを特徴とする。
【００１４】
また、この窓用戸締センサにおいて、圧力センサの検出結果に基づいて窓体の施解錠状態を判別する制御手段を備え、制御手段は、圧力センサに加えられる圧力がゼロの場合には窓体が開放状態にあると判断するのも好ましい。
【発明の効果】
【００２０】
施工性及び検出精度を向上させた窓用戸締センサを提供することができるという効果がある。
【図面の簡単な説明】
【００２１】
【図１】実施形態１の窓用戸締センサの施工例を示す要部拡大図である。
【図２】同上が取り付けられる窓の全体図である。
【図３】実施形態２の窓用戸締センサの施工例を示す要部拡大図である。
【図４】実施形態３の窓用戸締センサの施工例を示す要部拡大図である。
【発明を実施するための形態】
【００２２】
以下に、窓用戸締センサの実施形態を図面に基づいて説明する。この窓用戸締センサは、例えば図２に示すように、建物の外壁Ｗに設けられた開口部に取り付けられた矩形枠状の窓枠２の枠内に配置された２枚の引き違いのガラス戸（窓体）１，１の施解錠状態を判別するために用いられる。なお、図２では図示を省略しているが、これらのガラス戸１，１は従来周知のクレセント錠４（図１参照）により施錠される。そして、クレセント錠４により施錠された状態ではガラス戸１，１が互いに密着した状態になり、また各ガラス戸１と窓枠２とがそれぞれ密着した状態になる。また、各ガラス戸１は、それぞれ図２中の矢印Ａ−Ｂ方向にスライド自在となっている。
【００２３】
（実施形態１）
図１は実施形態１の窓用戸締センサ３の施工例を示す要部拡大図であり、窓用戸締センサ３は、ガラス戸１から加えられる圧力を検出する圧力センサ（施解錠検知手段）３０と、圧力センサ３０の検出結果に応じて施錠信号又は解錠信号を作成する制御部３１と、制御部３１が作成した施錠信号又は解錠信号を無線送信する無線信号送信部３２と、これらの各部に動作電源を供給する電池３３とを備える。
【００２４】
ガラス戸１は、図２に示すように矩形枠状に形成された枠部１１と、枠部１１の枠内に配置される矩形板状のガラス体１０とで構成される。一方（図１中の右側）のガラス戸１にはクレセント錠４のクレセント本体４０が取り付けられ、他方（図１中の左側）のガラス戸１にはクレセント本体４０が係止されるクレセント受け４１が取り付けられており、クレセント本体４０をクレセント受け４１に差し込むことでガラス戸１，１が互いに密着した状態で施錠される。
【００２５】
本実施形態の窓用戸締センサ３は、一方（図１中の右側）のガラス戸１に取り付けられたクレセント本体４０の近傍に設けられており、他方（図１中の左側）のガラス戸１の枠部１１から加えられる圧力の大きさに応じて施錠状態にあるのか、また解錠状態にあるのかを判別する。つまり、ガラス戸１，１を施錠位置（図２に示す位置）まで移動させてクレセント錠４により施錠した状態では、枠部１１から圧力センサ３０に加えられる圧力が所定の閾値よりも大きいことから施錠状態にあると判断し、ガラス戸１，１がクレセント錠４により施錠されていない状態では、枠部１１から圧力センサ３０に加えられる圧力が所定の閾値よりも小さいことから解錠状態にあると判断する。
【００２６】
次に、本実施形態の窓用戸締センサ３の動作について説明する。ガラス戸１，１が施錠位置（図２に示す位置）にあるが、クレセント錠４により施錠されていない状態では、ガラス戸１の枠部１１から圧力センサ３０に加えられる圧力は所定の閾値よりも小さく、したがって圧力センサ３０からは解錠状態を示す電気信号が制御部３１に出力される。制御部３１は、圧力センサ３０から入力された上記の電気信号に基づいて解錠信号を作成し、無線信号送信部３２を制御して上記の解錠信号を無線送信させる。そして、上記の解錠信号を受信した外部機器（図示せず）により、住人はガラス戸１，１が解錠状態であることを知ることができる。
【００２７】
一方、ガラス戸１，１がクレセント錠４により施錠されている状態では、ガラス戸１の枠部１１から圧力センサ３０に加えられる圧力は所定の閾値よりも大きく、したがって圧力センサ３０からは施錠状態を示す電気信号が制御部３１に出力される。制御部３１は圧力センサ３０から入力された上記の電気信号に基づいて施錠信号を作成し、無線信号送信部３２を制御して上記の施錠信号を無線送信させる。そして、上記の施錠信号を受信した外部機器（図示せず）により、住人はガラス戸１，１が施錠状態にあることを知ることができる。
【００２８】
ここで、本実施形態の窓用戸締センサ３では、ガラス戸１，１間の隙間に応じた圧力に基づいてガラス戸１，１の施解錠状態を判別しており、ガラス戸１，１が施錠位置（図２に示す位置）にある状態では圧力センサ３０に加えられる圧力がゼロになることはない。つまり、圧力センサ３０に加えられる圧力がゼロになるのは少なくともガラス戸１，１の何れか一方が開放されているときであり、本実施形態の窓用戸締センサ３を用いることでガラス戸１，１の開放状態を検出することもできる。しかも、後述する実施形態２のように窓用戸締センサ３を窓枠２に設けた場合には、ガラス戸１，１の開放状態を検出するためには各ガラス戸１それぞれに対応する形で窓用戸締センサ３を２つ設けなければならないが、本実施形態のようにクレセント錠４の近傍に窓用戸締センサ３を設けることで、１つの窓用戸締センサ３で２枚のガラス戸１，１の開放状態を検出することができる。
【００２９】
而して、本実施形態によれば、圧力センサ（施解錠検知手段）３０は施錠状態と解錠状態とで変化するガラス戸（窓体）１，１間の隙間に応じて施解錠状態を検知するものであり、クレセント錠４の位置に応じて施解錠状態を検知するものではないので、クレセント錠４の位置を検出するためのマグネットをクレセント錠４に取り付けたり、クレセント錠４と枠部１１の間にマグネット及びリードスイッチを配置しなくてもよく、従来例に比べて施工性を向上することができる。また、クレセント錠４のクレセント本体４０がクレセント受け４１に正常に差し込まれていない状態（以下、この状態を空締めという）では、ガラス戸１，１の密着度は低く、圧力センサ３０に加えられる圧力は所定の閾値よりも小さくなる。その結果、この空締め状態を解錠状態であると判断して、施錠状態にないことを住人に知らせることができるので、従来例に比べて検出精度を向上することができる。さらに、施解錠検知手段を接触式の圧力センサ３０で構成しているので、ガラス戸１，１の施解錠状態を確実に検知することができる。
【００３０】
（実施形態２）
図３は実施形態２の窓用戸締センサ３の施工例を示す要部拡大図である。実施形態１では、ガラス戸１，１間の隙間に応じてガラス戸１，１の施解錠状態を検知しているが、本実施形態では、ガラス戸１と窓枠２の隙間に応じてガラス戸１，１の施解錠状態を検知している。なお、それ以外の構成は実施形態１と同様であり、同一の構成要素には同一の符号を付して説明を省略する。
【００３１】
本実施形態の窓用戸締センサ３は、圧力センサ（施解錠検知手段）３０と、制御部３１と、無線信号送信部３２と、電池３３とを備える。なお、本実施形態ではガラス戸１が２枚であるため、各ガラス戸１にそれぞれ対応する形で窓用戸締センサ３を設けてもいいが、クレセント錠（図示せず）により施錠した状態では両ガラス戸１，１ともに窓枠２に密着した状態にあるため、窓用戸締センサ３は少なくとも一方にのみ設けてあればよい。
【００３２】
本実施形態の窓用戸締センサ３は、図３に示すように窓枠２に取り付けられており、ガラス戸１の枠部１１から加えられる圧力の大きさに応じて施錠状態にあるのか、また解錠状態にあるのかを判別する。つまり、ガラス戸１，１をクレセント錠により施錠した状態では、枠部１１から圧力センサ３０に加えられる圧力が所定の閾値よりも大きいことから施錠状態にあると判断し、ガラス戸１，１がクレセント錠により施錠されていない状態では、枠部１１から圧力センサ３０に加えられる圧力が所定の閾値よりも小さいことから解錠状態にあると判断する。
【００３３】
次に、本実施形態の窓用戸締センサ３の動作について説明する。ガラス戸１，１が施錠位置（図２に示す位置）にあるが、クレセント錠（図示せず）により施錠されていない状態では、ガラス戸１の枠部１１から圧力センサ３０に加えられる圧力は所定の閾値よりも小さく、したがって圧力センサ３０からは解錠状態を示す電気信号が制御部３１に出力される。制御部３１は、圧力センサ３０から入力された上記の電気信号に基づいて解錠信号を作成し、無線信号送信部３２を制御して上記の解錠信号を無線送信させる。そして、上記の解錠信号を受信した外部機器（図示せず）により、住人はガラス戸１，１が解錠状態にあることを知ることができる。
【００３４】
一方、ガラス戸１，１がクレセント錠により施錠されている状態では、ガラス戸１の枠部１１から圧力センサ３０に加えられる圧力は所定の閾値よりも大きく、したがって圧力センサ３０からは施錠状態を示す電気信号が制御部３１に出力される。制御部３１は圧力センサ３０から入力された上記の電気信号に基づいて施錠信号を作成し、無線信号送信部３２を制御して上記の施錠信号を無線送信させる。そして、上記の施錠信号を受信した外部機器（図示せず）により、住人はガラス戸１，１が施錠状態にあることを知ることができる。
【００３５】
ここで、本実施形態の窓用戸締センサ３では、ガラス戸１と窓体２の隙間に応じた圧力に基づいてガラス戸１，１の施解錠状態を判別しており、ガラス戸１，１が施錠位置（図２に示す位置）にある状態では圧力センサ３０に加えられる圧力がゼロになることはない。つまり、圧力センサ３０に加えられる圧力がゼロになるのはガラス戸１が開放されているときであり、本実施形態の窓用戸締センサ３を用いることでガラス戸１の開放状態を検出することもできる。但し、本実施形態のように窓用戸締センサ３が１つの場合には一方のガラス戸１の開放状態しか検出できず、各ガラス戸１それぞれの開放状態を検出するためには、窓用戸締センサ３は２つ必要になる。
【００３６】
而して、本実施形態によれば、圧力センサ（施解錠検知手段）３０は施錠状態と解錠状態とで変化するガラス戸（窓体）１と窓枠２の隙間に応じて施解錠状態を検知するものであり、クレセント錠の位置に応じて施解錠状態を検知するものではないので、クレセント錠の位置を検出するためのマグネットをクレセント錠に取り付けたり、クレセント錠と枠部１１の間にマグネット及びリードスイッチを配置しなくてもよく、従来例に比べて施工性を向上することができる。また、クレセント錠を空締めした状態では、ガラス戸１と窓枠２の密着度は低く、圧力センサ３０に加えられる圧力は所定の閾値よりも小さくなる。その結果、この空締め状態を解錠状態であると判断して、施錠状態にないことを住人に知らせることができるので、従来例に比べて検出精度を向上することができる。さらに、施解錠検知手段を接触式の圧力センサ３０で構成しているので、ガラス戸１，１の施解錠状態を確実に検知することができる。
ここに、本実施形態の窓用戸締センサにおいて、前記圧力センサは、前記窓体を施錠位置まで移動させた際に前記窓体の先端側が当接する位置に設けられており、施錠状態では前記窓体から加えられる圧力を検出することを特徴とする。
【００３７】
（実施形態３）
図４は実施形態３の窓用戸締センサ３の施工例を示す要部拡大図である。実施形態１，２では、施解錠検知手段として接触式の圧力センサ３０を用いているが、本実施形態では非接触式の近接センサ３４を用いている。なお、それ以外の構成は実施形態１と同様であり、同一の構成要素には同一の符号を付して説明を省略する。
【００３８】
本実施形態の窓用戸締センサ３は、非接触式の近接センサ（施解錠検知手段）３４と、制御部３１と、無線信号送信部３２と、電池３３とを備え、近接センサ３４は、例えば赤外線（エネルギー波）を照射する赤外線センサである。
【００３９】
本実施形態の窓用戸締センサ３は、一方（図４中の右側）のガラス戸１に取り付けられたクレセント本体４０の近傍に設けられており、他方（図４中の左側）のガラス戸１に取り付けられた反射板３５により反射して戻ってくる反射波のレベルに応じて施錠状態にあるのか、また解錠状態にあるのかを判別する。つまり、上記の反射波が所定のレベルよりも大きい場合には施錠状態にあると判断し、上記の反射波のレベルが所定のレベルよりも小さい場合には解錠状態にあると判断する。
【００４０】
次に、本実施形態の窓用戸締センサ３の動作について説明する。ガラス戸１，１が施錠位置（図２に示す位置）にあるが、クレセント錠４により施錠されていない状態では、近接センサ３４から放射された赤外線は反射板３５により反射されるが、クレセント錠４により施錠した状態に比べて近接センサ３４から反射板３５までの距離が長いため、近接センサ３４に戻ってくる反射波は所定のレベルよりも小さく、近接センサ３４からは解錠状態を示す電気信号が制御部３１に出力される。制御部３１は、近接センサ３４から入力された上記の電気信号に基づいて解錠信号を作成し、無線信号送信部３２を制御して上記の解錠信号を無線送信させる。そして、上記の解錠信号を受信した外部機器（図示せず）により、住人はガラス戸１，１が解錠状態にあることを知ることができる。
【００４１】
一方、ガラス戸１，１がクレセント錠４により施錠されている状態では、近接センサ３４に戻ってくる反射波は所定のレベルよりも大きく、近接センサ３４からは施錠状態を示す電気信号が制御部３１に出力される。制御部３１は近接センサ３４から入力された上記の電気信号に基づいて施錠信号を作成し、無線信号送信部３２を制御して上記の施錠信号を無線送信させる。そして、上記の施錠信号を受信した外部機器（図示せず）により、住人はガラス戸１，１が施錠状態にあることを知ることができる。
【００４２】
ここで、本実施形態の窓用戸締センサ３では、近接センサ３４に戻ってくる反射波のレベルに基づいてガラス戸１，１の施解錠状態を判別しており、ガラス戸１，１が施錠位置（図２に示す位置）にある状態では近接センサ３４への反射波がゼロになることはない。つまり、近接センサ３４への反射波がゼロになるのは少なくともガラス戸１，１の何れか一方が開放されているときであり、本実施形態の窓用戸締センサ３を用いることでガラス戸１，１の開放状態を検出することもできる。
【００４３】
而して、本実施形態によれば、近接センサ（施解錠検知手段）３４は施錠状態と解錠状態とで変化するガラス戸１，１間の隙間に応じて施解錠状態を検知するものであり、クレセント錠４の位置に応じて施解錠状態を検知するものではないので、クレセント錠４の位置を検出するためのマグネットをクレセント錠４に取り付けたり、クレセント錠４と枠部１１の間にマグネット及びリードスイッチを配置しなくてもよく、従来例に比べて施工性を向上することができる。また、クレセント錠４を空締めした状態では、ガラス戸１，１間の密着度は低く、近接センサ３４に戻ってくる反射波は所定のレベルよりも小さくなる。その結果、この空締め状態を解錠状態であると判断して、施錠状態にないことを住人に知らせることができるので、従来例に比べて検出精度を向上することができる。さらに、施解錠検知手段を非接触式の近接センサ３４で構成しているので、接触式の圧力センサ３０のように磨耗することがなく、磨耗に伴う検出精度の低下を防止することができる。
【００４４】
ここで、例えば他方（図４中の左側）のガラス戸１と近接センサ３４の間にカーテンなどの障害物がある場合、近接センサ３４から放射された赤外線はカーテンで反射されて近接センサ３４に戻ってくることになる。そのため、近接センサ３４に入力される反射波が所定のレベルよりも大きくなり、施錠状態にあると判断してしまう。すなわち、クレセント錠４による施錠の有無にかかわらず施錠状態にあると判断してしまうのである。
【００４５】
そこで、このような誤検出を防止するためには、近接センサ３４によりガラス戸１までの距離を計測するのが好ましい。具体的には、近接センサ３４から放射された赤外線が反射して戻ってくるまでの時間を計測し、この計測時間に応じて施錠状態にあるのか、また解錠状態にあるのかを判別する。例えば、上記の計測時間が予め設定された基準範囲内にある場合には施錠状態にあるガラス戸１で反射されたものと判断し、上記の基準範囲よりも小さい場合には途中にある障害物で反射されたものと判断する。また、上記の計測時間が上記の基準範囲を超えている場合には、赤外線がガラス体１０を透過して外部に放射されるなどの状況が考えられ、この場合解錠状態であると判断する。その結果、上記の実施例に比べて検出精度を向上することができる。勿論、この場合も上記の計測時間が∞、つまり反射波が戻ってこない（反射波がゼロ）ことを検出することで、ガラス戸１，１の開放状態を検出することができる。
【００４６】
なお、本実施形態では、近接センサ３４から放射されるエネルギー波として赤外線を例に説明したが、エネルギー波は赤外線に限定されるものではなく、レーザー光であってもよい。また、エネルギー波は、赤外線やレーザー光などの光波に限定されるものではなく、超音波などの音波や、マイクロ波、ミリ波などの電波であってもよく、上記の実施例と同様の効果が得られる。
ここに、本実施形態の窓用戸締センサにおいて、前記エネルギー波は光波であることを特徴とする。
【符号の説明】
【００４７】
１  ガラス戸（窓体）
２  窓枠
３  窓用戸締センサ
４  クレセント錠
３０  圧力センサ（施解錠検知手段）
【図１】
0005828105.tif 000002
【図２】
0005828105.tif 000003
【図３】
0005828105.tif 000004
【図４】
0005828105.tif 000005